(57)【要約】【課題】撮像装置等に用いられ簡単に映像信号に文字を重ねて表示するＯＳＤ文字入力装置を内蔵するビデオカメラにおいて、一旦入力した文字列を入れ換える際には、入れ換える個所まで選択カーソルで入力された文字を再指定しながら確定ボタンを押すことにより入れ換える必要の無い文字も再度入力し直す必要があり、時間がかかりしかも間違えやすかった。【解決手段】確定ボタンが押された時に表示される入力カーソルの示す文字と同じ文字を選択位置に有る文字列から選択カーソルで同時に指定することにより、入れ換える文字位置まで確定ボタンのみを押してカーソルによる位置確認をしながら移動し、入れ換え位置に到達した時に入れ換えるべき文字を選択位置に有る文字列から選択カーソルを用いて選択し、ついで確定ボタンを押すことにより撮影現場でも簡単にしかも早く文字を入れ換えることが出来る。【選択図】図１
2005086741.tif 000002
【特許請求の範囲】
【請求項１】
被写体を撮像する撮像部と、
前記撮像部で撮像した被写体の前記光学画像に基づく撮像画像を生成出力する映像信号処理部と、
前記映像信号処理部から出力する前記撮像画像を表示するモニタ部と、
前記撮像画像を録画する録画部と、
前記撮像画像上に文字・数字又は記号類を含む文字画像を重畳表示して前記モニタ部で表示するために、前記文字画像に係る文字画像データを発生して前記モニタ部へ選択出力する文字発生部と、
前記撮像画像と切り換え表示可能な前記モニタ部の表示画面内で表示される前記文字画像上を移動して前記文字画像を指定するためのカーソルを有する指定入力部と、前記指定入力部で指定した前記文字画像を事後再指定不可能なように確定するためのカーソルを有する確定入力部とを備えて、前記モニタ部の表示画面内に表示される前記撮像画像上に重畳して表示するために必要な各前記文字画像ごとに前記指定入力部の指定操作と、この指定操作直後に前記確定入力部の確定操作を毎回行ない、前記確定入力部が行なう確定入力の進行方向は既に確定した前記文字画像から次に確定すべき前記文字画像に向う方向のみである操作部と、
前記操作部の前記確定入力部によって確定した各前記文字画像に係る各前記文字画像データを順次記憶するメモリ部と、
前記メモリ部に記憶されている一連の前記文字画像の所定表示位置にある一方の前記文字画像の替わりに他方の前記文字画像を置き換える際には、まず前記確定入力部の前記カーソルを前記一方の文字画像が確定されている位置に合せた直後に、前記指定入力部の前記カーソルを前記他方の文字画像の表示位置に合わせ、この直後に前記指定入力部で指定した前記他方の文字画像を確定するように、前記指定入力部の指定操作と前記確定入力部の確定操作の操作順序を制御する制御手段と、
を有することを特徴とするビデオカメラ。
【請求項２】
請求項１に記載されたビデオカメラであって、
前記制御手段は前記モニタ部で表示された文字・数字又は記号類を含む文字画像の第１表示色、前記モニタ部に対して前記指定部により指定された前記文字画像の第２表示色、前記確定部により確定された前記文字画像の第３表示色、前記一方の文字画像の替わりに置き換えられた前記他方の文字画像の第４の表示色をそれぞれ異ならしめるように制御することを特徴とするビデオカメラ。
【発明の詳細な説明】
【技術分野】
【０００１】
本発明は、映像信号に重畳する文字列を簡単に作成するＯＳＤ文字入力機能を有するビデオカメラに関するものである。
【背景技術】
【０００２】
テレビ，ＶＴＲ，ビデオカメラ等の映像機器では、どの機器で出力した映像かといった映像の種別を分かりやすくするために、映像信号に文字を重ねて表示するＯＳＤ（Ｏｎ  Ｓｃｒｅｅｎ  Ｄｉｓｐｌａｙ）が良く用いられている。
【０００３】
特にビデオカメラのような撮像装置では撮影現場で撮像して得られた映像信号にその場で素早く映像信号に重畳する文字列を作成する必要があった。このため、撮像装置にＯＳＤが装着され簡単に文字を入力出来るよう配慮されていた。
【０００４】
このＯＳＤには入力モードと表示モードがあり、入力モードでは複数の文字から映像信号に重ねる文字を選択して文字列を作り、表示モードでは複数の文字は削除し選択された文字列のみを映像信号に重畳できる文字信号に生成していた。
【０００５】
図９に示される「選択時モニター表示画像」に示すように、入力モードでは、入力可能な文字，例えばひらがなの５０音とアルファベット２７文字、そして０〜９までの数字等、をモニター画面全体に同時に表示する。
【０００６】
そして、文字選択方法としては図８のフローチャートに示すように、まず入力モードを選択し次に選択カーソルを移動して文字の選択を行い次に文字の確定ボタンを押して確定する。確定した文字は確定した順序に従い入力モードで使用する複数の文字とは重ならないようにモニター画面下部に表示される。
【０００７】
例えば図９の「１．文字選択」では映像信号に重ねる文字列の最初に入力カーソルを置き選択カーソルをＶの位置に移動したもので、この状態で確定ボタンを押すと「２．確定ボタン」の状態になる。この時選択カーソル位置はそのままで映像信号に重ねる文字列の最初にＶが表示され入力カーソルは次の列に移動する。
【０００８】
次に図９の「３．文字選択」においてはＩを選択し、次に確定ボタンを押すと「４．確定ボタン」に示すようにＩが表示される。以下同様にして映像信号に重畳する文字列を生成する。
【０００９】
従って入力カーソルで指示される位置で確定ボタンを押すと選択カーソルでその時指定されている文字がモニター画面下部に表示され、入力カーソルは次の位置を指定する。
この様にして映像信号に重畳する文字列を生成したのち、表示モードに切り替えて映像信号に生成した文字列を重畳する。
【００１０】
次に図１０に示すように一旦確定した文字列の一部を入れ換えて用いたり、修正する際の手順を示す。この例では「ＶＩＤＥＯ−２００３」を「ＶＩＤＥＯ−２００４」とする手順を示す。
【００１１】
手順としてはまず図１０の「１．入力開始」時に選択カーソルでＶを選択する。次に確定ボタンを押すと「２．確定ボタン」に示すように、選択カーソルはそのままＶの位置で、入力カーソルがＩの位置に移動する。
【００１２】
このとき続けて確定ボタンを押すと「２'確定ボタン」に示すようにＶの文字がＩの位置に入力される。従って「２．確定ボタン」の次に「３．文字選択」を行ってから「４．確定ボタン」に示すように確定ボタンを押す。
【００１３】
以下同様にして確定ボタン→文字選択を繰り返しこれを最後の数字の３まで入力カーソルが到達したら文字選択により４を選択し次に確定ボタンを押して４を確定する。以上により「ＶＩＤＥＯ−２００３」を「ＶＩＤＥＯ−２００４」と最後の数字を入れ換える。
【特許文献１】特開２００２−２８１３５Ａ号公報
【発明の開示】
【発明が解決しようとする課題】
【００１４】
一旦入力した文字列の一部を入れ換えたり修正する際に入れ換える必要の無い文字も再度入力し直す必要があり時間がかかりしかも間違えやすいので限られた時間内で撮影を行うカメラの撮像現場では使いにくいというという問題点があった。
【００１５】
本発明は以上の点に鑑みなされたもので、モニター画面に確定して表示された文字列上で確定ボタンを押すだけで入力カーソル位置を移動させることにより、入れ換える必要の無い文字はそのままで、入れ換える文字のみを撮像装置側で簡単に早く選択することを目的とする。
【課題を解決するための手段】
【００１６】
上記の目的を達成するため、第１の発明のビデオカメラは、被写体を撮像する撮像部(撮像部１)と、前記撮像部で撮像した被写体の前記光学画像に基づく撮像画像を生成出力する映像信号処理部（映像信号処理部１）と、前記映像信号処理部から出力する前記撮像画像を表示するモニタ部(モニタ部３)と、前記撮像画像を録画する録画部(録画部８)と、前記撮像画像上に文字・数字又は記号類を含む文字画像を重畳表示して前記モニタ部で表示するために、前記文字画像に係る文字画像データを発生して前記モニタ部へ選択出力する文字発生部（文字発生部９）と、前記撮像画像と切り換え表示可能な前記モニタ部の表示画面内で表示される前記文字画像上を移動して前記文字画像を指定するためのカーソル（選択カーソル１６）を有する指定入力部（十字キー４ａ１）と、前記指定入力部で指定した前記文字画像を事後再指定不可能なように確定するためのカーソル(入力カーソル１７)を有する確定入力部（確定ボタン４ａ３）とを備えて、前記モニタ部の表示画面内に表示される前記撮像画像上に重畳して表示するために必要な各前記文字画像ごとに前記指定入力部の指定操作と、この指定操作直後に前記確定入力部の確定操作を毎回行ない、前記確定入力部が行なう確定入力の進行方向は既に確定した前記文字画像から次に確定すべき前記文字画像に向う方向のみである操作部（操作部４）と、前記操作部の前記確定入力部によって確定した各前記文字画像に係る各前記文字画像データを順次記憶するメモリ部（メモリ６）と、前記メモリ部に記憶されている一連の前記文字画像の所定表示位置にある一方の前記文字画像の替わりに他方の前記文字画像を置き換える際には、まず前記確定入力部の前記カーソルを前記一方の文字画像が確定されている位置に合せた直後に、前記指定入力部の前記カーソルを前記他方の文字画像の表示位置に合わせ、この直後に前記指定入力部で指定した前記他方の文字画像を確定するように、前記指定入力部の指定操作と前記確定入力部の確定操作の操作順序を制御する制御手段（制御部５）と、を有する。
【００１７】
上記の目的を達成するため、第２の発明ビデオカメラは、請求項１に記載されたビデオカメラであって、前記制御手段は前記モニタ部で表示された文字・数字又は記号類を含む文字画像の第１表示色、前記モニタ部に対して前記指定部により指定された前記文字画像の第２表示色、前記確定部により確定された前記文字画像の第３表示色、前記一方の文字画像の替わりに置き換えられた前記他方の文字画像の第４の表示色をそれぞれ異ならしめるように制御するものである。
【発明の効果】
【００１８】
本発明のビデオカメラは、モニター画面に映像信号に重畳する文字列の文字を生成中或いは生成後入れ換えを行う場合、確定ボタンのみを押して入れ換え位置まで入力カーソルを移動し、入れ換え位置に到達した時に入れ換えるべき文字のみを選択出来るので、時間もかからず簡単な操作で撮像時にも迅速に対応できるという効果がある。
【発明を実施するための最良の形態】
【００１９】
本発明のビデオカメラは、モニター画面に確定して表示された文字列上で確定ボタンを押して移動した入力カーソルの位置に有る文字と同じ文字を画面上に表示されている複数の文字の中から選択してその位置に選択カーソルを移動させることにより、見掛け上は確定ボタンを押すたびに入力カーソルのみが移動して文字を入れ換える位置に簡単に移動出来る。
【００２０】
図３は、ビデオカメラの構成例で、カメラ本体に文字入力装置ＯＳＤ７を組み込み、カメラ本体の筐体に操作パネル４を取り付けることにより、撮像部１から出力される被写体を撮像して得られる映像信号に文字信号を重畳するものである。
【００２１】
図３のビデオカメラは、撮像部１、映像信号処理部２、モニター部３、操作部４、制御部５、メモリ６、ＯＳＤ７、録画部８からなる構成としたものである。制御部５・メモリ６・ＯＳＤ８は文字発生部９として構成される。
【００２２】
操作部４は図２の（ｂ），（ｃ）に示すような操作パネル上に文字選択手段として十字キー４ａ１、送りボタン４ｂ１、入力モードと表示モードを選択するモード設定ボタン４ａ２，４ｂ２、選択した文字を確定する確定ボタン４ａ３，４ｂ３をそれぞれ設置したものである。以下操作部の説明には、図２（Ｂ）の操作パネル４ａの例を用いる。
【００２３】
次に動作について図１のフローチャートと図５に示すモニター３上に表示される画面により、操作パネル４ａを用いた具体的な文字入力例「ＶＩＤＥＯ−２００３」について説明する。まずモード設定ボタン４ａ２により入力モードに設定すると図５の「選択時モニター表示画像」に示すようにモニター３の画面全体に選択出来る文字が表示される。
【００２４】
そして「１．文字選択」に示すように十字キー４ａ１を用い選択カーソルを移動してＶを選択する。次に確定ボタン４ａ３を押すことにより「２．確定ボタン」の映像信号に重畳する文字を表示する位置にＶが表示され、入力カーソルは次の位置に移動するがこの時入力カーソルが示す次の文字と同一の文字位置を選択カーソルで示すように制御部５で設定して置く。
【００２５】
前述のように設定しておけば映像信号に重畳する文字を表示する次の位置には「２．確定ボタン」の時は何も入力されていないから選択カーソルはブランクを示すよう図の位置に移動する。
【００２６】
そして図１のフローチャートで次の文字選択状態となるがそのまま「３．文字選択」でＩを選択し「４．確定ボタン」で確定することにより映像信号に重畳する文字を表示する位置にＶに続いてＩが表示される。以下同様にして文字選択、確定ボタンを順に行えば映像信号に重畳する文字「ＶＩＤＥＯ−２００３」が得られる。
【００２７】
映像信号に重畳する文字「ＶＩＤＥＯ−２００３」が得られ、フローチャートの次の文字選択状態でモード設定ボタン４ａ２を表示モードに設定すると、映像信号に重畳する文字「ＶＩＤＥＯ−２００３」のみがＯＳＤ７から文字信号Ｖｃｈとして映像信号処理部２へ送られ、撮像部１で被写体を撮像することにより得られた映像信号Ｖ０にＶｃｈを重畳した信号Ｖｍｉｘがモニター部や録画部に提供される。
【００２８】
次に図６に示すように文字列「ＶＩＤＥＯ−２００３」を「ＶＩＤＥＯ−２００４」に入れ換える動作例を説明する。
「１．入力開始」時の入力カーソルは最初の位置に選択カーソルはＶの位置に設定される。そして入力カーソルが３の位置を指定するまで（「３．確定ボタン」…「４．確定ボタン」のように）確定ボタンを押しつづける。
【００２９】
これは確定ボタン４ａ３を押すことにより選択カーソルで示されている文字が映像信号に重畳する文字を表示する位置に表示され、入力カーソルは次の位置に移動するがこの時入力カーソルが示す次の文字位置を選択カーソルで示すように制御部５で予め設定しているため、続けて確定ボタンを押すと入力カーソルのみが移動する状態になるからである。
【００３０】
そして入力カーソルが３の位置を指定した時に選択カーソルを「５．文字入力」に示すように４の数字の位置に移動し，確定ボタンを押すと「６．確定ボタン」に示すように３と４が入れ替わる。
【００３１】
この様にすれば文字の入れ換えを簡単にしかも迅速に行うことが出来る。従って、確定ボタンと文字入力を交互に行う必要は無く、撮影場面毎にカット別の番号設定も従来の数分の一以下の時間で容易に行うことが出来、撮影時間の短縮に役立つ。
【００３２】
図４にＯＳＤ７のバスを中心にしたデータ構成例を示す。構成としては画面全体に表示する複数の文字と映像信号に重畳する文字列に入力された文字等の文字データ情報及び図１で示されたフローチャートの手順のソフトウェア等を記憶する記憶部１０、文字データを映像信号に同期させた文字信号Ｖｃｈに変換する表示部１１、データの中継をするバス１２、文字・カーソルの色を指定するカラーテーブル１３、各種データを演算処理するＣＰＵ１４、操作パネルからのカーソル信号Ｄｃを入力して操作データに変換する操作部１５からなる。
【００３３】
ＯＳＤ７で作成された映像信号に重畳する文字は図７（Ｂ）に示すように白色で表示される例が多いが，映像信号に重畳する文字を生成する過程では、白色の背景となる場合が多く見にくかったので、カラー表示にすることで操作性を向上させる。
【００３４】
例えば図７（Ａ）に示すように選択カーソルは青色、入力カーソルは赤色、画面全体に表示する文字は黄色、映像信号に重畳する文字は橙色というように識別しやすいよう表示色をＯＳＤ７に内蔵されるカラーテーブル１３で設定する。
また、入力カーソル、選択カーソルは必要に応じて点滅させれば良い。
【図面の簡単な説明】
【００３５】
【図１】本発明による文字選択例のフローーチャートを示す図である。
【図２】本発明によるカメラ本体に取り付けられた操作パネルを示す図である。
【図３】本発明によるビデオカメラ構成例を示す図である。
【図４】本発明によるＯＳＤの構成例を示す図である。
【図５】本発明による文字生成時の表示例を示す図である。
【図６】本発明による文字を入れ換える時の表示例を示す図である。
【図７】入力モード時（Ａ）と表示モード時（Ｂ）のモニター画面を示す図である。
【図８】従来の文字選択例のフローーチャートを示す図である。
【図９】従来の文字生成時の表示例を示す図である。
【図１０】従来の文字入れ換え時の表示例を示す図である。
【符号の説明】
【００３６】
１    撮像部                （撮像部）
２    映像信号処理部        （映像信号処理部）
３    モニター部            （モニタ部)
４    操作部                （操作部）
４ａ１  十字キー            （指定入力部）
４ａ２  モード設定ボタン
４ａ３  確定ボタン          （確定入力部）
５    制御部                （制御手段）
６    メモリ                （メモリ部）
７    ＯＳＤ
８    録画部                （録画部）
９    文字発生部            （文字発生部）
１６  選択カーソル          （文字画像を指定するためのカーソル）
１７  入力カーソル          （確定するためのカーソル）
【図１】
2005086741.tif 000003
【図２】
2005086741.tif 000004
【図３】
2005086741.tif 000005
【図４】
2005086741.tif 000006
【図５】
2005086741.tif 000007
【図６】
2005086741.tif 000008
【図７】
2005086741.tif 000009
【図８】
2005086741.tif 000010
【図９】
2005086741.tif 000011
【図１０】
2005086741.tif 000012